(57)【要約】【課題】ディスクリネーションの発生を抑える。【解決手段】信号線駆動回路１４０は、第１画素及び第２画素への書き込み期間ごとに、第１下側電極１１８Ａと第１上側電極１１８Ｃのいずれかに第１電圧を供給し、第２下側電極１１８Ｂと第２上側電極１１８Ｄのうち第１電圧を供給した電極とは逆側の電極に第２電圧を供給し、第１電圧及び第２電極を供給した以外の電極にはデータ信号を供給する。信号線駆動回路１４０は、第１電圧及び第２電圧の電圧値として、第１下側電極１１８Ａと第２下側電極１１８Ｂとの電位差と、第１上側電極１１８Ｃと第２上側電極１１８Ｄとの電位差との少なくとも一方が、第１下側電極１１８Ａに供給される電圧と第１上側電極１１８Ｃに供給される電圧との最大の電位差の１／２以下となる電圧値を設定する、【選択図】図８
2017009827.tif 000002
【特許請求の範囲】
【請求項１】
第１下側スイッチング素子、第１下側電極、第１上側スイッチング素子、及び第１上側電極を備える第１画素と、
前記第１画素に対して列方向と行方向の少なくとも一方に並び、第２下側スイッチング素子、第２下側電極、第２上側スイッチング素子、及び第２上側電極を備える第２画素と、
前記第１下側電極、前記第１上側電極、前記第２下側電極及び前記第２上側電極に、第１電圧、第２電圧、及びデータ信号のいずれかを供給する信号供給部と、を備え、
前記信号供給部は、前記第１画素及び前記第２画素への書き込み期間ごとに、前記第１下側電極と前記第１上側電極のいずれかに前記第１電圧を供給し、前記第２下側電極と前記第２上側電極のうち前記第１電圧を供給した電極とは逆側の電極に前記第２電圧を供給し、前記第１電圧及び前記第２電極を供給した以外の電極には前記データ信号を供給し、
前記信号供給部は、前記第１電圧及び前記第２電圧の電圧値として、前記第１下側電極と前記第２下側電極との電位差と、前記第１上側電極と前記第２上側電極との電位差との少なくとも一方が、前記第１下側電極に供給される電圧と前記第１上側電極に供給される電圧との最大の電位差の１／２以下となる電圧値を設定する、
ことを特徴とする電気光学装置。
【請求項２】
複数の前記第１画素及び前記第２画素が、市松模様状に交互に設けられる、
ことを特徴とする請求項１または請求項２に記載の電気光学装置。
【請求項３】
複数の前記第１画素及び前記第２画素のそれぞれが、行方向または列方向にライン状に並べられ、前記第１画素のラインと前記第２画素のラインが交互に設けられる、
ことを特徴とする請求項１または請求項２に記載の電気光学装置。
【請求項４】
請求項１ないし請求項３のいずれか一項に記載の電気光学装置を備えたことを特徴とする電子機器。
【請求項５】
第１下側スイッチング素子、第１下側電極、第１上側スイッチング素子、及び第１上側電極を備える第１画素と、前記第１画素に対して列方向と行方向の少なくとも一方に並び、第２下側スイッチング素子、第２下側電極、第２上側スイッチング素子、及び第２上側電極を備える第２画素と、前記第１下側電極、前記第１上側電極、前記第２下側電極及び前記第２上側電極に、第１電圧、第２電圧、及びデータ信号のいずれかを供給する信号供給部と、を備える電気光学装置の駆動方法であって、
前記第１画素及び前記第２画素への書き込み期間ごとに、前記第１下側電極と前記第１上側電極のいずれかに前記第１電圧を供給し、
前記第２下側電極と前記第２上側電極のうち前記第１電圧を供給した電極とは逆側の電極に前記第２電圧を供給し、前記第１電圧及び前記第２電極を供給した以外の電極には前記データ信号を供給し、
前記第１電圧及び前記第２電圧の電圧値として、前記第１下側電極と前記第２下側電極との電位差と、前記第１上側電極と前記第２上側電極との電位差との少なくとも一方が、前記第１下側電極に供給される電圧と前記第１上側電極に供給される電圧との最大の電位差の１／２以下となる電圧値を設定する、
ことを特徴とする電気光学装置の駆動方法。
【発明の詳細な説明】
【技術分野】
【０００１】
本発明は、ディスクリネーションの発生を抑える技術に関する。
【背景技術】
【０００２】
液晶パネルにおいては、隣り合う画素間の電位差に起因して、画素電極から対向電極（又は、その逆方向）に向かうべき電界が隣り合う画素電極の方向に向かう横電界が発生し、液晶分子が所期の配向方向とは異なる方向に配向する、ディスクリネーションが発生することがある。ディスクリネーションの発生は、液晶パネルの表示品位を低下させる原因となる。特許文献１は、ディスクリネーションの発生を抑えるための技術を開示している。
【先行技術文献】
【特許文献】
【０００３】
【特許文献１】特開２００９−２５４１７号公報
【発明の概要】
【発明が解決しようとする課題】
【０００４】
ところで、横電界が強くなる画素間の印加電圧の差を小さくするように、これらのうちの一方又は両方の画素の表示データを補正すれば、横電界が弱くなってディスクリネーションの発生を抑えられる。しかしながら、この画素間の電位差を小さくするために印加電圧の変化を大きくしてしまうと、この電圧変化に伴う表示内容の変化がユーザーに視認されやすくなり、表示背反の発生という別の問題が生じることがある。
本発明は、上述した事情に鑑みてなされたもので、その目的は、ディスクリネーションの発生を抑えることである。
【課題を解決するための手段】
【０００５】
上述した課題を解決するために、本発明の一態様は、第１下側スイッチング素子、第１下側電極、第１上側スイッチング素子、及び第１上側電極を備える第１画素と、前記第１画素に対して列方向と行方向の少なくとも一方に並び、第２下側スイッチング素子、第２下側電極、第２上側スイッチング素子、及び第２上側電極を備える第２画素と、前記第１下側電極、前記第１上側電極、前記第２下側電極及び前記第２上側電極に、第１電圧、第２電圧、及びデータ信号のいずれかを供給する信号供給部と、を備え、前記信号供給部は、前記第１画素及び前記第２画素への書き込み期間ごとに、前記第１下側電極と前記第１上側電極のいずれかに前記第１電圧を供給し、前記第２下側電極と前記第２上側電極のうち前記第１電圧を供給した電極とは逆側の電極に前記第２電圧を供給し、前記第１電圧及び前記第２電極を供給した以外の電極には前記データ信号を供給し、前記信号供給部は、前記第１電圧及び前記第２電圧の電圧値として、前記第１下側電極と前記第２下側電極との電位差と、前記第１上側電極と前記第２上側電極との電位差との少なくとも一方が、前記第１下側電極に供給される電圧と前記第１上側電極に供給される電圧との最大の電位差の１／２以下となる電圧値を設定することを特徴とする。
【０００６】
前記一態様によれば、信号供給部は、第１画素及び第２画素への書き込み期間ごとに、第１下側電極と第１上側電極のいずれかに第１電圧を供給し、第２下側電極と第２上側電極のうち第１電圧を供給した電極とは逆側の電極に前記第２電圧を供給し、第１電圧及び第２電極を供給した以外の電極にはデータ信号を供給する。また、信号供給部は、第１電圧及び第２電圧の電圧値として、第１下側電極と第２下側電極との電位差と、第１上側電極と第２上側電極との電位差との少なくとも一方が、第１下側電極に供給される電圧と第１上側電極に供給される電圧との最大の電位差の１／２以下となる電圧値を設定する。したがって、ディスクリネーションの発生を抑える。
【０００７】
上述した電気光学装置の一態様において、複数の前記第１画素及び前記第２画素が、市松模様状に交互に設けられるようにしてもよい。この場合には、行方向及び列方向の両方の方向において、第１画素及び第２画素への書き込み期間ごとに、第１下側電極と第１上側電極のいずれかに第１電圧を供給し、第２下側電極と第２上側電極のうち第１電圧を供給した電極とは逆側の電極に前記第２電圧を供給し、第１電圧及び第２電極を供給した以外の電極にはデータ信号を供給する。また、第１電圧及び第２電圧の電圧値として、第１下側電極と第２下側電極との電位差と、第１上側電極と第２上側電極との電位差との少なくとも一方が、第１下側電極に供給される電圧と第１上側電極に供給される電圧との最大の電位差の１／２以下となる電圧値を設定する。したがって、行方向及び列方向の両方の方向において、第１画素電極に供給する電圧と第２画素電極に供給する電圧との電位差を前記最大の電位差の１／２以下とすることが容易となり、ディスクリネーションの発生を抑える。
【０００８】
上述した電気光学装置の一態様において、複数の前記第１画素及び前記第２画素のそれぞれが、行方向または列方向にライン状に並べられ、前記第１画素のラインと前記第２画素のラインが交互に設けられるようにしてもよい。この場合には、この場合には、行方向または列方向において、第１画素及び第２画素への書き込み期間ごとに、第１下側電極と第１上側電極のいずれかに第１電圧を供給し、第２下側電極と第２上側電極のうち第１電圧を供給した電極とは逆側の電極に前記第２電圧を供給し、第１電圧及び第２電極を供給した以外の電極にはデータ信号を供給する。また、第１電圧及び第２電圧の電圧値として、第１下側電極と第２下側電極との電位差と、第１上側電極と第２上側電極との電位差との少なくとも一方が、第１下側電極に供給される電圧と第１上側電極に供給される電圧との最大の電位差の１／２以下となる電圧値を設定する。したがって、行方向または列方向において、第１画素電極に供給する電圧と第２画素電極に供給する電圧との電位差を前記最大の電位差の１／２以下とすることが容易となり、ディスクリネーションの発生を抑える。
【０００９】
本発明に係る電子機器は、上述した本発明に係る電気光学装置を備える。そのような電子機器は、液晶ディスプレイ等の表示装置において、ディスクリネーションの発生が抑えられ、画質を向上させることができる。
【００１０】
本発明に係る電気光学装置の駆動方法の一態様は、第１下側スイッチング素子、第１下側電極、第１上側スイッチング素子、及び第１上側電極を備える第１画素と、前記第１画素に対して列方向と行方向の少なくとも一方に並び、第２下側スイッチング素子、第２下側電極、第２上側スイッチング素子、及び第２上側電極を備える第２画素と、前記第１下側電極、前記第１上側電極、前記第２下側電極及び前記第２上側電極に、第１電圧、第２電圧、及びデータ信号のいずれかを供給する信号供給部と、を備える電気光学装置の駆動方法であって、前記第１画素及び前記第２画素への書き込み期間ごとに、前記第１下側電極と前記第１上側電極のいずれかに前記第１電圧を供給し、前記第２下側電極と前記第２上側電極のうち前記第１電圧を供給した電極とは逆側の電極に前記第２電圧を供給し、前記第１電圧及び前記第２電極を供給した以外の電極には前記データ信号を供給し、前記第１電圧及び前記第２電圧の電圧値として、前記第１下側電極と前記第２下側電極との電位差と、前記第１上側電極と前記第２上側電極との電位差との少なくとも一方が、前記第１下側電極に供給される電圧と前記第１上側電極に供給される電圧との最大の電位差の１／２以下となる電圧値を設定することを特徴とする。
【図面の簡単な説明】
【００１１】
【図１】本発明の第１実施形態に係る電気光学装置の構成を示すブロック図である。
【図２】電気光学装置の液晶パネルの構成を示す図である。
【図３】画素の構成を示す回路図である。
【図４】下基板の電極の配置を示す図である。
【図５】上基板の電極の配置を示す図である。
【図６】第１下側電極及び第２下側電極と走査線の接続を説明する図である。
【図７】第１上側電極及び第２上側電極と走査線の接続を説明する図である。
【図８】電気光学装置の動作を示すタイミングチャートである。
【図９】第１行第１列の画素と第１行第２列の画素の両方において白色表示を行った際の各電極の電位差を示す図である。
【図１０】第１行第１列の画素において白色表示を行い、第１行第２列の画素において中間色表示を行った際の各電極の電位差示す図である。
【図１１】第１行第１列の画素において中間色表示を行い、第１行第２列の画素において白色表示を行った際の各電極の電位差を示す図である。
【図１２】第１行第１列の画素と第１行第２列の画素の両方において中間色表示を行った際の各電極の電位差を示す図である。
【図１３】第１行第１列の画素において白色表示を行い、第１行第２列の画素において黒色表示を行った際の各電極の電位差を示す図である。
【図１４】第１行第１列の画素において黒色表示を行い、第１行第２列の画素において白色表示を行った際の各電極の電位差を示す図である。
【図１５】第１行第１列の画素と第１行第２列の画素の両方において黒色表示を行った際の各電極の電位差を示す図である。
【図１６】第１行第１列から第８行第６列の８行×６列の表示領域において、第３行第３列から第３行第６列までと第４行第３列から第４行第６列までの画素は中間色表示を行い、他の画素は白色表示を行った場合の第１フィールドにおける上基板の電極の電圧値を示す図である。
【図１７】図１５の場合の第１フィールドにおける下基板の電極の電圧値を示す図である。
【図１８】図１５の場合の第２フィールドにおける上基板の電極の電圧値を示す図である。
【図１９】図１５の場合の第２フィールドにおける下基板の電極の電圧値を示す図である。
【図２０】図１５の場合の第３フィールドにおける上基板の電極の電圧値を示す図である。
【図２１】図１５の場合の第３フィールドにおける下基板の電極の電圧値を示す図である。
【図２２】図１５の場合の第４フィールドにおける上基板の電極の電圧値を示す図である。
【図２３】図１５の場合の第４フィールドにおける下基板の電極の電圧値を示す図である。
【図２４】第１下側電極と第２下側電極間の電位差及び第１上側電極と第２上側電極間の電位差を示す図である。
【図２５】第２実施形態における第１下側電極及び第２下側電極と走査線の接続を説明する図である。
【図２６】第２実施形態における第１上側電極及び第２上側電極と走査線の接続を説明する図である。
【図２７】第２実施形態における第１下側電極及び第２下側電極と走査線の接続を説明する図である。
【図２８】第２実施形態における電気光学装置の動作を示すタイミングチャートである。
【図２９】電子機器の他の例を示す説明図である。
【図３０】電子機器の他の例を示す説明図である。
【図３１】電子機器の一例を示す説明図である。
【図３２】比較例における画素電極間の電位差を示す図である。
【発明を実施するための形態】
【００１２】
以下、本発明の実施の形態について図面を参照して説明する。
＜第１実施形態＞
図１は、第１実施形態に係る電気光学装置の全体構成を示すブロック図である。図１に示すように、電気光学装置１の構成は、タイミング制御回路１０と、液晶パネル１００と、表示制御回路２０とを備えている。
タイミング制御回路１０は、各種の制御信号を生成して、図示せぬ上位装置から与えられる同期信号Ｓyncに同期して電気光学装置１の各部を制御する。表示制御回路２０は、電気光学装置１の表示を制御する。表示制御回路２０には、同期信号Ｓyncに同期して外部装置から入力表示データＤa-inが入力される。
入力表示データＤa-inは、液晶パネル１００が有する複数画素（後述する、表示領域１０１）の各画素の階調レベルを指定するデジタルデータである。階調レベルは、画素の明るさのレベルを規定するパラメーターである。ここでは、入力表示データＤa-inを８ビットとして、画素で表現すべき階調レベルを、十進値で最も暗い「０」から最も明るい「２５５」までの「１」刻みで２５６階調を指定している。
入力表示データＤa-inは、同期信号Ｓyncに含まれる垂直走査信号、水平走査信号及びドットクロック信号（いずれも図示省略）に従った走査の順番で供給される。表示制御回路２０は、入力表示データＤa-inを処理して表示データＤa-outを液晶パネル１００に出力する。
液晶パネル１００は、例えば、各画素をトランジスターなどのスイッチング素子により駆動するアクティブ・マトリクス型の表示装置（表示部）である。液晶パネル１００は、表示制御回路２０から供給される表示データＤa-outに基づいて画像を表示する。
なお、入力表示データＤa-inは液晶パネル１００の各画素（後述する画素１１０）の階調レベルを指定するものであるが、階調レベルに応じて液晶素子の印加電圧が定まるので、入力表示データＤa-inは液晶素子の印加電圧を指定するものといって差し支えない。
【００１３】
図２は、液晶パネル１００の構成を示す図である。図１に示すように、液晶パネル１００のうち画像が表示される表示領域１０１では、Ｘ方向に延在するｍ行の走査線１１２と、Ｙ方向に延在して走査線１１２に直交するｎ列の信号線１１４が形成される（ｍ，ｎは自然数）。各信号線１１４と各走査線１１２とは互いに電気的に絶縁を保つように設けられる。そして、これらｍ行の走査線１１２とｎ列の信号線１１４との交点のそれぞれに対応して、画素１１０がそれぞれ設けられる。したがって、この実施形態では、表示領域１０１において、画素１１０が縦ｍ行×横ｎ列でマトリクス状に配列される。
表示領域１０１の周辺には、走査線駆動回路１３０と信号線駆動回路１４０とが配置される。走査線駆動回路１３０は、タイミング制御回路１０から供給される選択信号Ｙctrによって指定される走査線１１２を選択する。走査線駆動回路１３０は、選択した走査線１１２に対する走査信号を選択電圧に相当するＨレベルとする一方、他の走査線１１２に対する走査信号を非選択電圧に相当するＬレベルとする。
信号供給部としての信号線駆動回路１４０は、表示データＤa-outに基づいて、いわゆる電圧変調方式で画素１１０を駆動するものである。具体的には、信号線駆動回路１４０は、タイミング制御回路１０から供給される選択信号Ｘctrに従って１〜ｎ列目の信号線１１４に、それぞれ表示データＤa-outに応じた大きさの電圧のデータ信号を供給する。また、本実施形態においは、データ信号だけでなく、信号線駆動回路１４０は、コモン電圧ＣＯＭ１、コモン電圧ＣＯＭ２を信号線１１４に供給する。詳しくは後述する。
液晶パネル１００を駆動することによって、画像の１コマ分を表示させるのに要する画像表示期間はフレームと呼ばれる。その期間は、例えば同期信号Ｓyncに含まれる垂直走査信号の周波数が６０Ｈｚであれば、その逆数である１６．７ミリ秒である。
以上の構成を有する走査線駆動回路１３０及び信号線駆動回路１４０の協働により、電気光学装置１における駆動回路が実現される。
画素１１０は、下側電極と上側電極とで液晶を挟持した液晶素子を有し、走査線１１２が選択されたときに、信号線１１４に供給されたデータ信号が下側電極または上側電極に印加されるものである。
【００１４】
図３は、画素１１０の等価回路を示す図である。本実施形態においては、液晶パネル１００は下基板と上基板とで構成されている。図３に示すように、下基板の画素１１０Ｂは、走査線１１２と信号線１１４との交差に対応して、第１下側電極１１８Ａと第２下側電極１１８Ａとを備えている。また、上基板の画素１１０Ｕは、走査線１１２と信号線１１４との交差に対応して、第１上側電極１１８Ｃと第２上側電極１１８Ｄとを備えている。第１下側電極１１８Ａと第１上側電極１１８Ｃとで液晶を挟持した液晶素子、及び、第２下側電極１１８Ｂと第１上側電極１１８Ｄとで液晶を挟持した液晶素子が配列された構成である。
画素１１０の等価回路では、液晶素子に対して並列に補助容量（蓄積容量）１２５が設けられる。補助容量１２５は、一端が第１下側電極１１８Ａ、第２下側電極１１８Ｂ、第１上側電極１１８Ｃまたは第２上側電極１１８Ｄに接続され、他端が容量線１１５に共通接続される。容量線１１５は時間的に一定の電圧に保たれている。
ここで、走査線１１２がＨレベルになると、その走査線にゲート電極が接続されたＴＦＴ１１６がオンとなり、第１下側電極１１８Ａ、第２下側電極１１８Ｂ、第１上側電極１１８Ｃ、及び第２上側電極１１８Ｄが信号線１１４に接続される。このため、走査線１１２がＨレベルであるときに、信号線１１４に後述するコモン電圧、あるいは階調に応じた大きさの電圧のデータ信号が供給されると、当該コモン電圧またはデータ信号は、オンしたＴＦＴ１１６を介して第１下側電極１１８Ａ、第２下側電極１１８Ｂ、第１上側電極１１８Ｃ、または第２上側電極１１８Ｄに供給される。走査線１１２がＬレベルになると、ＴＦＴ１１６はオフするが、第１下側電極１１８Ａ、第２下側電極１１８Ｂ、第１上側電極１１８Ｃ、及び第２上側電極１１８Ｄに印加された電圧は、液晶素子１２０の容量性及び補助容量１２５によって保持される。
液晶素子では、第１下側電極１１８Ａと第２上側電極１１８Ｄ、または第２下側電極１１８Ｂと第１上側電極１１８Ｃによって生じる電界に応じて液晶の分子配向状態が変化する。このため、液晶素子は、透過型であれば、印加・保持電圧に応じた透過率となる。液晶パネル１００では、液晶素子ごとに透過率が変化するので、画素１１０の各々が液晶素子を有する。
本実施形態においては、液晶をＶＡ（Vertical Alignment）方式として、液晶素子１２０が電圧無印加時において黒状態となるノーマリーブラックモードである。
【００１５】
本実施形態の第１下側電極１１８Ａと第２下側電極１１８Ｂは、図４に示すように、市松模様状に行方向及び列方向に交互に配置されている。同様に、本実施形態の第１上側電極１１８Ｃと第２上側電極１１８Ｄは、図５に示すように、市松模様状に行方向及び列方向に交互に配置されている。
下基板における信号線１１４−１Ｂまたは信号線１１４−２Ｂ、あるいは、上基板における信号線１１４−１Ｕまたは信号線１１４−２Ｕには、コモン電圧ＣＯＭ１、コモン電圧ＣＯＭ２、またはデータ信号が供給される。コモン電圧ＣＯＭ１またはコモン電圧ＣＯＭ２の電圧値は、固定の電圧値ではなく、例えば２フィールドごとに切り換えられる。一例として、本実施形態では、コモン電圧ＣＯＭ１とコモン電圧ＣＯＭ２として、７．００Ｖ及び１０．７５Ｖの電圧値を、第１下側電極１１８Ａ、第２下側電極１１８Ｂ、第１上側電極１１８Ｃ、あるいは第２上側電極１１８Ｄに供給する。
具体的には、第１フィールドでは、１０．７５Ｖのコモン電圧ＣＯＭ１を第１下側電極１１８Ａに供給し、７．００Ｖのコモン電圧ＣＯＭ２を第２上側電極１１８Ｄに供給する。第２フィールドでは、１０．７５Ｖのコモン電圧ＣＯＭ１を第１上側電極１１８Ｃに供給し、７．００Ｖのコモン電圧ＣＯＭ２を第２下側電極１１８Ｂに供給する。第３フィールドでは、７．００Ｖのコモン電圧ＣＯＭ１を第１上側電極１１８Ｃに供給し、１０．７５Ｖのコモン電圧ＣＯＭ２を第２下側電極１１８Ｂに供給する。第４フィールドでは、７．００Ｖのコモン電圧ＣＯＭ１を第１下側電極１１８Ａに供給し、１０．７５Ｖのコモン電圧ＣＯＭ２を第２上側電極１１８Ｄに供給する。
【００１６】
液晶の劣化を防止するために、画素容量を交流駆動することが原則であるが、液晶素子を交流駆動する場合に、ある階調レベルを表現するように画素を駆動する際に、振幅中心電圧となるコモン電圧に対して、画素電極の電圧を高位側とする正極性と、振幅中心電圧となるコモン電圧に対して、画素電極の電圧を低位側とする負極性との２種類が必要となる。
なお、実施形態の電圧については、液晶素子の印加電圧を除き、特に明記しない限り図示省略した接地電位を電圧ゼロの基準とする。液晶素子の印加電圧は、第１下側電極１１８Ａと第１上側電極１１８Ｃの電圧との電位差、または、第２下側電極１１８Ｂと第２上側電極１１８Ｄの電圧との電位差である。液晶素子に階調レベルに応じた電圧を保持させる際、書込極性が正極性の場合には、第１下側電極１１８Ａに供給されるコモン電圧ＣＯＭ１よりも第１上側電極１１８Ｃの電位が低くなる。また、第２上側電極１１８Ｄに供給されるコモン電圧ＣＯＭ２よりも第２下側電極１１８Ｂの電位が高くなる。
書込極性が負極性の場合には、第１上側電極１１８Ｃに供給されるコモン電圧ＣＯＭ１よりも第１下側電極１１８Ａの電位が低くなる。また、第２下側電極１１８Ｂに供給されるコモン電圧ＣＯＭ２よりも第２上側電極１１８Ｄの電位が高くなる。
本実施形態では、図６に示すように、下基板においては、第１下側電極１１８Ａには、信号線１１４−１Ｂが接続され、第２下側電極１１８Ｂには、信号線１１４−２Ｂが接続される。信号線１１４−１Ｂおよび信号線１１４−２Ｂには、データ信号だけでなく、コモン電圧ＣＯＭ１とコモン電圧ＣＯＭ２も供給される。例えば、第１下側電極１１８Ａにコモン電圧ＣＯＭ１が供給される場合には、第２下側電極１１８Ｂにデータ信号が供給される。また、第１下側電極１１８Ａにデータ信号が供給される場合には、第２下側電極１１８Ｂにコモン電圧ＣＯＭ２が供給される。
図７に示すように、上基板においては、第１上側電極１１８Ｃには、信号線１１４−１Ｕが接続され、第２上側電極１１８Ｄには、信号線１１４−２Ｕが接続される。信号線１１４−１Ｕおよび信号線１１４−２Ｕには、データ信号だけでなく、コモン電圧ＣＯＭ１とコモン電圧ＣＯＭ２も供給される。例えば、第１上側電極１１８Ｃにコモン電圧ＣＯＭ１が供給される場合には、第２上側電極１１８Ｄにデータ信号が供給される。また、第１上側電極１１８Ｃにデータ信号が供給される場合には、第２上側電極１１８Ｄにコモン電圧ＣＯＭ２が供給される。
【００１７】
次に、一例として、Ｘ方向（列方向）に８画素、及びＹ方向（行方向）に６画素が配置された８×６画素の液晶パネルに、白色表示、中間調であるグレイ表示、及び黒色表示をさせた場合の第１下側電極１１８Ａ、第２下側電極１１８Ｂ、第１上側電極１１８Ｃ、及び第２上側電極１１８Ｄの電圧値について説明する。なお、以下の説明においては、１フレーム期間(一画像表示期間)では同じ画像を表示するものとする。また、グレイ表示画素の画素電極電位は、対向電極に対して２．５Ｖに限定される訳ではなく、８ビット階調の電位を取り得る。
図８はこの動作例のタイミングチャートである。図８において、下基板の信号線１１４−１Ｂに供給されるＨは１０．７５Ｖのコモン電圧ＣＯＭ１を示し、Ｌは７．００Ｖのコモン電圧ＣＯＭ１を示し、Ｄはデータ信号を示す。同様に、下基板の信号線１１４−２Ｂに供給されるＨは１０．７５Ｖのコモン電圧ＣＯＭ２を示し、Ｌは７．００Ｖのコモン電圧ＣＯＭ２を示し、Ｄはデータ信号を示す。
また、上基板の信号線１１４−１Ｕに供給されるＨは１０．７５Ｖのコモン電圧ＣＯＭ１を示し、Ｌは７．００Ｖのコモン電圧ＣＯＭ１を示し、Ｄはデータ信号を示す。同様に、上基板の信号線１１４−２Ｕに供給されるＨは１０．７５Ｖのコモン電圧ＣＯＭ２を示し、Ｌは７．００Ｖのコモン電圧ＣＯＭ２を示し、Ｄはデータ信号を示す。
なお、図８のタイミングチャートは、図６における領域Ｒ１Ｂの信号線１１４−１Ｂ及び信号線１１４−２Ｂに接続され、かつ、図７における領域Ｒ１Ｕの信号線１１４−１Ｕ及び信号線１１４−２Ｕに接続された画素の動作例を示している。
図９は、第１下側電極１１８Ａ及び第１上側電極１１８Ｃに対応する画素（例えば第１行第１列の画素）と、当該画素に隣り合う第２下側電極１１８Ｂ及び第２上側電極１１８Ｄに対応する画素（例えば第１行第２列の画素）に対応する画素とに、いずれも白色を表示させる場合のコモン電圧ＣＯＭ１とコモン電圧ＣＯＭ２の電圧値、及び、データ信号の電圧値を示す図である。コモン電圧ＣＯＭ１とコモン電圧ＣＯＭ２の電圧値は実線で示されており、データ信号の電圧値は点線で示されている。また、下基板は斜線の四角形で示され、上基板は白色の四角形で示されている。
第１フィールドは、正極性の第１パターン（以下、正極性１とする）であり、１０．７５Ｖのコモン電圧ＣＯＭ１が第１下側電極１１８Ａに供給され、７．００Ｖのコモン電圧ＣＯＭ２が第２上側電極１１８Ｄに供給される。第１下側電極１１８Ａに対向する第１上側電極１１８Ｃには５．７５Ｖのデータ信号が供給され、第２上側電極１１８Ｄに対向する第２下側電極１１８Ｂには１２．００Ｖのデータ信号が供給される。
第２フィールドは、負極性の第１パターン（以下、負極性１とする）であり、１０．７５Ｖのコモン電圧ＣＯＭ１が第１上側電極１１８Ｃに供給され、７．００Ｖのコモン電圧ＣＯＭ２が第２下側電極１１８Ｂに供給される。第１上側電極１１８Ｃに対向する第１下側電極１１８Ａには５．７５Ｖのデータ信号が供給され、第２下側電極１１８Ｂに対向する第２上側電極１１８Ｄには１２．００Ｖのデータ信号が供給される。
第３フィールドは、正極性の第２パターン（以下、正極性２とする）であり、７．００Ｖのコモン電圧ＣＯＭ１が第１上側電極１１８Ｃに供給され、１０．７５Ｖのコモン電圧ＣＯＭ２が第２下側電極１１８Ｂに供給される。第１上側電極１１８Ｃに対向する第１下側電極１１８Ａには１２．００Ｖのデータ信号が供給され、第２下側電極１１８Ｂに対向する第２上側電極１１８Ｄには５．７５Ｖのデータ信号が供給される。
第４フィールドは、負極性の第２パターン（以下、負極性２とする）であり、７．００Ｖのコモン電圧ＣＯＭ１が第１下側電極１１８Ａに供給され、１０．７５Ｖのコモン電圧ＣＯＭ２が第２上側電極１１８Ｄに供給される。第１下側電極１１８Ａに対向する第１上側電極１１８Ｃには１２．００Ｖのデータ信号が供給され、第２上側電極１１８Ｄに対向する第２下側電極１１８Ｂには５．７５Ｖのデータ信号が供給される。
この場合には、隣り合う第１下側電極１１８Ａと第２下側電極１１８Ｂの電位差はいずれの場合も１．２５Ｖであり、隣り合う第１上側電極１１８Ｃと第２上側電極１１８Ｄの電位差もいずれの場合も１．２５Ｖである。
【００１８】
図１０は、第１下側電極１１８Ａ及び第１上側電極１１８Ｃに対応する画素（例えば第１行第１列の画素）に白色を表示させ、当該画素に隣り合う第２下側電極１１８Ｂ及び第２上側電極１１８Ｄに対応する画素（例えば第１行第２列の画素）に対応する画素に中間色であるグレイを表示させる場合のコモン電圧ＣＯＭ１とコモン電圧ＣＯＭ２の電圧値、及び、データ信号の電圧値を示す図である。コモン電圧ＣＯＭ１とコモン電圧ＣＯＭ２の電圧値は実線で示されており、データ信号の電圧値は点線で示されている。また、下基板は斜線の四角形で示され、上基板は白色の四角形で示されている。
第１フィールドは、正極性１であり、１０．７５Ｖのコモン電圧ＣＯＭ１が第１下側電極１１８Ａに供給され、７．００Ｖのコモン電圧ＣＯＭ２が第２上側電極１１８Ｄに供給される。第１下側電極１１８Ａに対向する第１上側電極１１８Ｃには５．７５Ｖのデータ信号が供給され、第２上側電極１１８Ｄに対向する第２下側電極１１８Ｂには７．００Ｖのデータ信号が供給される。
第２フィールドは、負極性１であり、１０．７５Ｖのコモン電圧ＣＯＭ１が第１上側電極１１８Ｃに供給され、７．００Ｖのコモン電圧ＣＯＭ２が第２下側電極１１８Ｂに供給される。第１上側電極１１８Ｃに対向する第１下側電極１１８Ａには５．７５Ｖのデータ信号が供給され、第２下側電極１１８Ｂに対向する第２上側電極１１８Ｄには９．５０Ｖのデータ信号が供給される。
第３フィールドは、正極性２であり、７．００Ｖのコモン電圧ＣＯＭ１が第１上側電極１１８Ｃに供給され、１０．７５Ｖのコモン電圧ＣＯＭ２が第２下側電極１１８Ｂに供給される。第１上側電極１１８Ｃに対向する第１下側電極１１８Ａには１２．００Ｖのデータ信号が供給され、第２下側電極１１８Ｂに対向する第２上側電極１１８Ｄには８．２５Ｖのデータ信号が供給される。
第４フィールドは、負極性２であり、７．００Ｖのコモン電圧ＣＯＭ１が第１下側電極１１８Ａに供給され、１０．７５Ｖのコモン電圧ＣＯＭ２が第２上側電極１１８Ｄに供給される。第１下側電極１１８Ａに対向する第１上側電極１１８Ｃには１２．００Ｖのデータ信号が供給され、第２上側電極１１８Ｄに対向する第２下側電極１１８Ｂには８．２５Ｖのデータ信号が供給される。
この場合には、隣り合う第１下側電極１１８Ａと第２下側電極１１８Ｂの電位差はいずれの場合も１．２５Ｖであり、隣り合う第１上側電極１１８Ｃと第２上側電極１１８Ｄの電位差も、いずれの場合も１．２５Ｖである。
【００１９】
図１１は、第１下側電極１１８Ａ及び第１上側電極１１８Ｃに対応する画素（例えば第１行第１列の画素）に中間色であるグレイを表示させ、当該画素に隣り合う第２下側電極１１８Ｂ及び第２上側電極１１８Ｄに対応する画素（例えば第１行第２列の画素）に対応する画素に白色を表示させる場合のコモン電圧ＣＯＭ１とコモン電圧ＣＯＭ２の電圧値、及び、データ信号の電圧値を示す図である。コモン電圧ＣＯＭ１とコモン電圧ＣＯＭ２の電圧値は実線で示されており、データ信号の電圧値は点線で示されている。また、下基板は斜線の四角形で示され、上基板は白色の四角形で示されている。
第１フィールドは、正極性１であり、１０．７５Ｖのコモン電圧ＣＯＭ１が第１下側電極１１８Ａに供給され、７．００Ｖのコモン電圧ＣＯＭ２が第２上側電極１１８Ｄに供給される。第１下側電極１１８Ａに対向する第１上側電極１１８Ｃには８．２５Ｖのデータ信号が供給され、第２上側電極１１８Ｄに対向する第２下側電極１１８Ｂには１２．００Ｖのデータ信号が供給される。
第２フィールドは、負極性１であり、１０．７５Ｖのコモン電圧ＣＯＭ１が第１上側電極１１８Ｃに供給され、７．００Ｖのコモン電圧ＣＯＭ２が第２下側電極１１８Ｂに供給される。第１上側電極１１８Ｃに対向する第１下側電極１１８Ａには８．２５Ｖのデータ信号が供給され、第２下側電極１１８Ｂに対向する第２上側電極１１８Ｄには１２．００Ｖのデータ信号が供給される。
第３フィールドは、正極性２であり、７．００Ｖのコモン電圧ＣＯＭ１が第１上側電極１１８Ｃに供給され、１０．７５Ｖのコモン電圧ＣＯＭ２が第２下側電極１１８Ｂに供給される。第１上側電極１１８Ｃに対向する第１下側電極１１８Ａには９．５０Ｖのデータ信号が供給され、第２下側電極１１８Ｂに対向する第２上側電極１１８Ｄには５．７５Ｖのデータ信号が供給される。
第４フィールドは、負極性２であり、７．００Ｖのコモン電圧ＣＯＭ１が第１下側電極１１８Ａに供給され、１０．７５Ｖのコモン電圧ＣＯＭ２が第２上側電極１１８Ｄに供給される。第１下側電極１１８Ａに対向する第１上側電極１１８Ｃには９．５０Ｖのデータ信号が供給され、第２上側電極１１８Ｄに対向する第２下側電極１１８Ｂには５．７５Ｖのデータ信号が供給される。
この場合には、隣り合う第１下側電極１１８Ａと第２下側電極１１８Ｂの電位差はいずれの場合も１．２５Ｖであり、隣り合う第１上側電極１１８Ｃと第２上側電極１１８Ｄの電位差も、いずれの場合も１．２５Ｖである。
【００２０】
図１２は、第１下側電極１１８Ａ及び第１上側電極１１８Ｃに対応する画素（例えば第１行第１列の画素）、並びに、当該画素に隣り合う第２下側電極１１８Ｂ及び第２上側電極１１８Ｄに対応する画素（例えば第１行第２列の画素）にいずれも中間色であるグレイを表示させる場合のコモン電圧ＣＯＭ１とコモン電圧ＣＯＭ２の電圧値、及び、データ信号の電圧値を示す図である。コモン電圧ＣＯＭ１とコモン電圧ＣＯＭ２の電圧値は実線で示されており、データ信号の電圧値は点線で示されている。また、下基板は斜線の四角形で示され、上基板は白色の四角形で示されている。
第１フィールドは、正極性１であり、１０．７５Ｖのコモン電圧ＣＯＭ１が第１下側電極１１８Ａに供給され、７．００Ｖのコモン電圧ＣＯＭ２が第２上側電極１１８Ｄに供給される。第１下側電極１１８Ａに対向する第１上側電極１１８Ｃには８．２５Ｖのデータ信号が供給され、第２上側電極１１８Ｄに対向する第２下側電極１１８Ｂには９．５０Ｖのデータ信号が供給される。
第２フィールドは、負極性１であり、１０．７５Ｖのコモン電圧ＣＯＭ１が第１上側電極１１８Ｃに供給され、７．００Ｖのコモン電圧ＣＯＭ２が第２下側電極１１８Ｂに供給される。第１上側電極１１８Ｃに対向する第１下側電極１１８Ａには８．２５Ｖのデータ信号が供給され、第２下側電極１１８Ｂに対向する第２上側電極１１８Ｄには９．５０Ｖのデータ信号が供給される。
第３フィールドは、正極性２であり、７．００Ｖのコモン電圧ＣＯＭ１が第１上側電極１１８Ｃに供給され、１０．７５Ｖのコモン電圧ＣＯＭ２が第２下側電極１１８Ｂに供給される。第１上側電極１１８Ｃに対向する第１下側電極１１８Ａには９．５０Ｖのデータ信号が供給され、第２下側電極１１８Ｂに対向する第２上側電極１１８Ｄには８．２５Ｖのデータ信号が供給される。
第４フィールドは、負極性２であり、７．００Ｖのコモン電圧ＣＯＭ１が第１下側電極１１８Ａに供給され、１０．７５Ｖのコモン電圧ＣＯＭ２が第２上側電極１１８Ｄに供給される。第１下側電極１１８Ａに対向する第１上側電極１１８Ｃには９．５０Ｖのデータ信号が供給され、第２上側電極１１８Ｄに対向する第２下側電極１１８Ｂには８．２５Ｖのデータ信号が供給される。
この場合には、隣り合う第１下側電極１１８Ａと第２下側電極１１８Ｂの電位差はいずれの場合も１．２５Ｖであり、隣り合う第１上側電極１１８Ｃと第２上側電極１１８Ｄの電位差も、いずれの場合も１．２５Ｖである。
【００２１】
図１３は、第１下側電極１１８Ａ及び第１上側電極１１８Ｃに対応する画素（例えば第１行第１列の画素）に白色を表示させ、当該画素に隣り合う第２下側電極１１８Ｂ及び第２上側電極１１８Ｄに対応する画素（例えば第１行第２列の画素）に黒色を表示させる場合のコモン電圧ＣＯＭ１とコモン電圧ＣＯＭ２の電圧値、及び、データ信号の電圧値を示す図である。コモン電圧ＣＯＭ１とコモン電圧ＣＯＭ２の電圧値は実線で示されており、データ信号の電圧値は点線で示されている。また、下基板は斜線の四角形で示され、上基板は白色の四角形で示されている。
第１フィールドは、正極性１であり、１０．７５Ｖのコモン電圧ＣＯＭ１が第１下側電極１１８Ａに供給され、７．００Ｖのコモン電圧ＣＯＭ２が第２上側電極１１８Ｄに供給される。第１下側電極１１８Ａに対向する第１上側電極１１８Ｃには５．７５Ｖのデータ信号が供給され、第２上側電極１１８Ｄに対向する第２下側電極１１８Ｂには７．００Ｖのデータ信号が供給される。
第２フィールドは、負極性１であり、１０．７５Ｖのコモン電圧ＣＯＭ１が第１上側電極１１８Ｃに供給され、７．００Ｖのコモン電圧ＣＯＭ２が第２下側電極１１８Ｂに供給される。第１上側電極１１８Ｃに対向する第１下側電極１１８Ａには５．７５Ｖのデータ信号が供給され、第２下側電極１１８Ｂに対向する第２上側電極１１８Ｄには７．００Ｖのデータ信号が供給される。
第３フィールドは、正極性２であり、７．００Ｖのコモン電圧ＣＯＭ１が第１上側電極１１８Ｃに供給され、１０．７５Ｖのコモン電圧ＣＯＭ２が第２下側電極１１８Ｂに供給される。第１上側電極１１８Ｃに対向する第１下側電極１１８Ａには１２．００Ｖのデータ信号が供給され、第２下側電極１１８Ｂに対向する第２上側電極１１８Ｄには１０．７５Ｖのデータ信号が供給される。
第４フィールドは、負極性２であり、７．００Ｖのコモン電圧ＣＯＭ１が第１下側電極１１８Ａに供給され、１０．７５Ｖのコモン電圧ＣＯＭ２が第２上側電極１１８Ｄに供給される。第１下側電極１１８Ａに対向する第１上側電極１１８Ｃには１２．００Ｖのデータ信号が供給され、第２上側電極１１８Ｄに対向する第２下側電極１１８Ｂには１０．７５Ｖのデータ信号が供給される。
この場合には、隣り合う第１下側電極１１８Ａと第２下側電極１１８Ｂの電位差は第１フィールドと第４フィールドにおいては３．７５Ｖであり、第２フィールドと第３フィールドでは１．２５Ｖである。また、隣り合う第１上側電極１１８Ｃと第２上側電極１１８Ｄの電位差は、第２フィールドと第３フィールドにおいては３．７５Ｖであり、第１フィールドと第４フィールドでは１．２５Ｖである。
【００２２】
図１４は、第１下側電極１１８Ａ及び第１上側電極１１８Ｃに対応する画素（例えば第１行第１列の画素）に黒色を表示させ、当該画素に隣り合う第２下側電極１１８Ｂ及び第２上側電極１１８Ｄに対応する画素（例えば第１行第２列の画素）に白色を表示させる場合のコモン電圧ＣＯＭ１とコモン電圧ＣＯＭ２の電圧値、及び、データ信号の電圧値を示す図である。コモン電圧ＣＯＭ１とコモン電圧ＣＯＭ２の電圧値は実線で示されており、データ信号の電圧値は点線で示されている。また、下基板は斜線の四角形で示され、上基板は白色の四角形で示されている。
第１フィールドは、正極性１であり、１０．７５Ｖのコモン電圧ＣＯＭ１が第１下側電極１１８Ａに供給され、７．００Ｖのコモン電圧ＣＯＭ２が第２上側電極１１８Ｄに供給される。第１下側電極１１８Ａに対向する第１上側電極１１８Ｃには１０．７５Ｖのデータ信号が供給され、第２上側電極１１８Ｄに対向する第２下側電極１１８Ｂには１２．００Ｖのデータ信号が供給される。
第２フィールドは、負極性１であり、１０．７５Ｖのコモン電圧ＣＯＭ１が第１上側電極１１８Ｃに供給され、７．００Ｖのコモン電圧ＣＯＭ２が第２下側電極１１８Ｂに供給される。第１上側電極１１８Ｃに対向する第１下側電極１１８Ａには１０．７５Ｖのデータ信号が供給され、第２下側電極１１８Ｂに対向する第２上側電極１１８Ｄには１２．００Ｖのデータ信号が供給される。
第３フィールドは、正極性２であり、７．００Ｖのコモン電圧ＣＯＭ１が第１上側電極１１８Ｃに供給され、１０．７５Ｖのコモン電圧ＣＯＭ２が第２下側電極１１８Ｂに供給される。第１上側電極１１８Ｃに対向する第１下側電極１１８Ａには７．００Ｖのデータ信号が供給され、第２下側電極１１８Ｂに対向する第２上側電極１１８Ｄには５．７５Ｖのデータ信号が供給される。
第４フィールドは、負極性２であり、７．００Ｖのコモン電圧ＣＯＭ１が第１下側電極１１８Ａに供給され、１０．７５Ｖのコモン電圧ＣＯＭ２が第２上側電極１１８Ｄに供給される。第１下側電極１１８Ａに対向する第１上側電極１１８Ｃには７．００Ｖのデータ信号が供給され、第２上側電極１１８Ｄに対向する第２下側電極１１８Ｂには５．７５Ｖのデータ信号が供給される。
この場合には、隣り合う第１下側電極１１８Ａと第２下側電極１１８Ｂの電位差は第２フィールドと第３フィールドにおいては３．７５Ｖであり、第１フィールドと第４フィールドでは１．２５Ｖである。また、隣り合う第１上側電極１１８Ｃと第２上側電極１１８Ｄの電位差は、第１フィールドと第４フィールドにおいては３．７５Ｖであり、第２フィールドと第３フィールドでは１．２５Ｖである。
【００２３】
図１５は、第１下側電極１１８Ａ及び第１上側電極１１８Ｃに対応する画素（例えば第１行第１列の画素）、及び、当該画素に隣り合う第２下側電極１１８Ｂ及び第２上側電極１１８Ｄに対応する画素（例えば第１行第２列の画素）の双方に黒色を表示させる場合のコモン電圧ＣＯＭ１とコモン電圧ＣＯＭ２の電圧値、及び、データ信号の電圧値を示す図である。コモン電圧ＣＯＭ１とコモン電圧ＣＯＭ２の電圧値は実線で示されており、データ信号の電圧値は点線で示されている。また、下基板は斜線の四角形で示され、上基板は白色の四角形で示されている。
第１フィールドは、正極性１であり、１０．７５Ｖのコモン電圧ＣＯＭ１が第１下側電極１１８Ａに供給され、７．００Ｖのコモン電圧ＣＯＭ２が第２上側電極１１８Ｄに供給される。第１下側電極１１８Ａに対向する第１上側電極１１８Ｃには１０．７５Ｖのデータ信号が供給され、第２上側電極１１８Ｄに対向する第２下側電極１１８Ｂには７．００Ｖのデータ信号が供給される。
第２フィールドは、負極性１であり、１０．７５Ｖのコモン電圧ＣＯＭ１が第１上側電極１１８Ｃに供給され、７．００Ｖのコモン電圧ＣＯＭ２が第２下側電極１１８Ｂに供給される。第１上側電極１１８Ｃに対向する第１下側電極１１８Ａには１０．７５Ｖのデータ信号が供給され、第２下側電極１１８Ｂに対向する第２上側電極１１８Ｄには７．００Ｖのデータ信号が供給される。
第３フィールドは、正極性２であり、７．００Ｖのコモン電圧ＣＯＭ１が第１上側電極１１８Ｃに供給され、１０．７５Ｖのコモン電圧ＣＯＭ２が第２下側電極１１８Ｂに供給される。第１上側電極１１８Ｃに対向する第１下側電極１１８Ａには７．００Ｖのデータ信号が供給され、第２下側電極１１８Ｂに対向する第２上側電極１１８Ｄには１０．７５Ｖのデータ信号が供給される。
第４フィールドは、負極性２であり、７．００Ｖのコモン電圧ＣＯＭ１が第１下側電極１１８Ａに供給され、１０．７５Ｖのコモン電圧ＣＯＭ２が第２上側電極１１８Ｄに供給される。第１下側電極１１８Ａに対向する第１上側電極１１８Ｃには７．００Ｖのデータ信号が供給され、第２上側電極１１８Ｄに対向する第２下側電極１１８Ｂには１０．７５Ｖのデータ信号が供給される。
この場合には、隣り合う第１下側電極１１８Ａと第２下側電極１１８Ｂの電位差、及び、隣り合う第１上側電極１１８Ｃと第２上側電極１１８Ｄの電位差は、いずれの場合も３．７５Ｖである。
【００２４】
図１６は、第３行、第３列の画素から、第３行、第６列の画素まで、及び、第４行、第３列の画素から、第４行、第６列の画素までに中間色のグレイを表示させ、その他の画素には白色を表示させる場合に、正極性１における上基板のコモン電圧ＣＯＭ１、コモン電圧ＣＯＭ２、及びデータ信号の電圧値を示す図である。コモン電圧ＣＯＭ１及びコモン電圧ＣＯＭ２には下線を付している。
また、図１７は、第３行、第３列の画素から、第３行、第６列の画素まで、及び、第４行、第３列の画素から、第４行、第６列の画素までに中間色のグレイを表示させ、その他の画素には白色を表示させる場合に、正極性１における下基板のコモン電圧ＣＯＭ１、コモン電圧ＣＯＭ２、及びデータ信号の電圧値を示す図である。コモン電圧ＣＯＭ１及びコモン電圧ＣＯＭ２には下線を付している。
【００２５】
図１８は、第３行、第３列の画素から、第３行、第６列の画素まで、及び、第４行、第３列の画素から、第４行、第６列の画素までに中間色のグレイを表示させ、その他の画素には白色を表示させる場合に、負極性１における上基板のコモン電圧ＣＯＭ１、コモン電圧ＣＯＭ２、及びデータ信号の電圧値を示す図である。コモン電圧ＣＯＭ１及びコモン電圧ＣＯＭ２には下線を付している。
また、図１９は、第３行、第３列の画素から、第３行、第６列の画素まで、及び、第４行、第３列の画素から、第４行、第６列の画素までに中間色のグレイを表示させ、その他の画素には白色を表示させる場合に、負極性１における下基板のコモン電圧ＣＯＭ１、コモン電圧ＣＯＭ２、及びデータ信号の電圧値を示す図である。コモン電圧ＣＯＭ１及びコモン電圧ＣＯＭ２には下線を付している。
【００２６】
図２０は、第３行、第３列の画素から、第３行、第６列の画素まで、及び、第４行、第３列の画素から、第４行、第６列の画素までに中間色のグレイを表示させ、その他の画素には白色を表示させる場合に、正極性２における上基板のコモン電圧ＣＯＭ１、コモン電圧ＣＯＭ２、及びデータ信号の電圧値を示す図である。コモン電圧ＣＯＭ１及びコモン電圧ＣＯＭ２には下線を付している。
また、図２１は、第３行、第３列の画素から、第３行、第６列の画素まで、及び、第４行、第３列の画素から、第４行、第６列の画素までに中間色のグレイを表示させ、その他の画素には白色を表示させる場合に、正極性２における下基板のコモン電圧ＣＯＭ１、コモン電圧ＣＯＭ２、及びデータ信号の電圧値を示す図である。コモン電圧ＣＯＭ１及びコモン電圧ＣＯＭ２には下線を付している。
【００２７】
図２２は、第３行、第３列の画素から、第３行、第６列の画素まで、及び、第４行、第３列の画素から、第４行、第６列の画素までに中間色のグレイを表示させ、その他の画素には白色を表示させる場合に、負極性２における上基板のコモン電圧ＣＯＭ１、コモン電圧ＣＯＭ２、及びデータ信号の電圧値を示す図である。コモン電圧ＣＯＭ１及びコモン電圧ＣＯＭ２には下線を付している。
また、図２３は、第３行、第３列の画素から、第３行、第６列の画素まで、及び、第４行、第３列の画素から、第４行、第６列の画素までに中間色のグレイを表示させ、その他の画素には白色を表示させる場合に、負極性２における下基板のコモン電圧ＣＯＭ１、コモン電圧ＣＯＭ２、及びデータ信号の電圧値を示す図である。コモン電圧ＣＯＭ１及びコモン電圧ＣＯＭ２には下線を付している。
【００２８】
図３２に示す従来の比較例においては、コモン電圧が７．００Ｖで固定であるために、隣接する画素間で白色と中間色であるグレイを表示させる場合には、画素電極間の電位差は２．５０Ｖとなる。
しかし、本実施形態においては、図１６ないし図２３から明らかなように、第１下側電極１１８Ａと第２下側電極１１８Ｂの電位差、及び、第１上側電極１１８Ｃ及び第２上側電極１１８Ｄの電位差は、図２４に示すようにいずれの場合も１．２５Ｖであることがわかる。
以上のように、本実施形態によれば、従来の比較例に比べてドメイン量を低減することができる。
【００２９】
また、下基板と上基板を用いた場合には、従来は、信号線駆動回路が２つの基板分必要であったが、本実施形態においては、下基板と上基板とで対向する一対の電極の片側をコモン電圧ＣＯＭ１またはコモン電圧ＣＯＭ２とするため、信号線駆動回路が１つの基板分で済み、コストダウンを図ることができる。
【００３０】
＜第２実施形態＞
次に、図２５ないし図２８を参照しつつ本発明の第２実施形態について説明する。本実施形態は、上基板と下基板のそれぞれにおいて、１画素につき２本の走査線と２つのＴＦＴを備えており、１つのＴＦＴは信号線に接続され、他のＴＦＴはコモン電圧が供給される保持配線に接続されている。
図２５及び図２７は下基板における電極と配線の関係を示す図であり、第１下側電極１１８Ａと第２下側電極１１８Ｂには、２つのＴＦＴ１１６−１Ｂ，１１６−２Ｂが設けられており、ＴＦＴ１１６−１Ｂ，１１６−２Ｂのゲート端子には、走査線１１２−１Ｂ，１１２−２Ｂがそれぞれ接続されている。また、ＴＦＴ１１６−１Ｂ，１１６−２Ｂのドレイン端子またはソース端子には信号線（図示せず）が接続され、もう一方のソース端子またはドレイン端子には、コモン電圧ＣＯＭ１、コモン電圧ＣＯＭ２が供給される保持配線１１７−１Ｂ，１１７−２Ｂが接続される。
図２６は上基板における電極と配線の関係を示す図であり、第１上側電極１１８Ｃと第２上側電極１１８Ｄには、２つのＴＦＴ１１６−１Ｕ，１１６−２Ｕが設けられており、ＴＦＴ１１６−１Ｕ，１１６−２Ｕのゲート端子には、走査線１１２−１Ｕ，１１２−２Ｕがそれぞれ接続されている。また、ＴＦＴ１１６−１Ｕ，１１６−２Ｕのドレイン端子またはソース端子には信号線（図示せず）が接続され、もう一方のソース端子またはドレイン端子には、コモン電圧ＣＯＭ１、コモン電圧ＣＯＭ２が供給される保持配線１１７−１Ｕ，１１７−２Ｕが接続される。
図２８は本実施形態の動作例のタイミングチャートである。図２８を参照して本実施形態における正極性１から負極性１に遷移する場合の動作を説明する。
まず、下基板においては、保持配線１１７−１Ｂに１０．７５Ｖのコモン電圧ＣＯＭ１が供給され、走査線ＣＳＡが一斉にＨレベルになると、第１下側電極１１８Ａに１０．７５Ｖのコモン電圧ＣＯＭ１が供給される。また、上基板においては、保持配線１１７−２Ｕに７．００Ｖのコモン電圧ＣＯＭ２が供給され、走査線ＣＳＢが一斉にＨレベルになると、第２上側電極１１８Ｄに７．００Ｖのコモン電圧ＣＯＭ２が供給される。
次に、走査線Ｙ０１がＨレベルとなり、信号線に１２．００Ｖが書き込まれると、走査線Ｙ０１に接続された第２下側電極１１８Ｂに１２．００Ｖが書き込まれる。また、走査線Ｙ２３がＨレベルとなり、信号線に１２．００Ｖが書き込まれると、走査線Ｙ２３に接続された第２下側電極１１８Ｂに１２．００Ｖが書き込まれる。さらに、走査線Ｙ４５がＨレベルとなり、信号線に１２．００Ｖが書き込まれると、走査線Ｙ４５に接続された第２下側電極１１８Ｂに１２．００Ｖが書き込まれる。
一方、上基板では、走査線Ｙ１２がＨレベルとなり、信号線に５．７５Ｖが書き込まれると、走査線Ｙ１２に接続された第１上側電極１１８Ｃに５．７５Ｖが書き込まれる。また、走査線Ｙ３４がＨレベルとなり、信号線に５．７５Ｖが書き込まれると、走査線Ｙ３４に接続された第１上側電極１１８Ｃに５．７５Ｖが書き込まれる。さらに、走査線Ｙ５６がＨレベルとなり、信号線に５．７５Ｖが書き込まれると、走査線Ｙ５６に接続された第１上側電極１１８Ｃに５．７５Ｖが書き込まれる。
【００３１】
次に、負極性１では、下基板においては、保持配線１１７−２Ｂに７．００Ｖのコモン電圧ＣＯＭ２が供給され、走査線ＣＳＢが一斉にＨレベルになると、第２下側電極１１８Ｂに７．００Ｖのコモン電圧ＣＯＭ２が供給される。また、上基板においては、保持配線１１７−１Ｕに１０．７５Ｖのコモン電圧ＣＯＭ１が供給され、走査線ＣＳＡが一斉にＨレベルになると、第１上側電極１１８Ｃに１０．７５Ｖのコモン電圧ＣＯＭ１が供給される。
次に、走査線Ｙ１２がＨレベルとなり、信号線に５．７５Ｖが書き込まれると、走査線Ｙ０１に接続された第１下側電極１１８Ａに５．７５Ｖが書き込まれる。また、走査線Ｙ３４がＨレベルとなり、信号線に５．７５Ｖが書き込まれると、走査線Ｙ３４に接続された第１下側電極１１８Ａに５．７５Ｖが書き込まれる。さらに、走査線Ｙ５６がＨレベルとなり、信号線に５．７５Ｖが書き込まれると、走査線Ｙ５６に接続された第１下側電極１１８Ａに５．７５Ｖが書き込まれる。
一方、上基板では、走査線Ｙ０１がＨレベルとなり、信号線に１２．００Ｖが書き込まれると、走査線Ｙ０１に接続された第２上側電極１１８Ｄに１２．００Ｖが書き込まれる。また、走査線Ｙ２３がＨレベルとなり、信号線に１２．００Ｖが書き込まれると、走査線Ｙ２３に接続された第２上側電極１１８Ｄに１２．００Ｖが書き込まれる。さらに、走査線Ｙ４５がＨレベルとなり、信号線に１２．００Ｖが書き込まれると、走査線Ｙ４５に接続された第２上側電極１１８Ｄに１２．００Ｖが書き込まれる。
【００３２】
以上のように、本実施形態によれば、第１実施形態と同様にドメインを低減でるだけでなく、上下基板に対して、同時に１行飛ばしで書き込みを行うことができるため、１画面の書き込み時間を半分にすることができる。つまり、倍速駆動に対応することが可能となる。
【００３３】
＜変形例＞
本発明は、上述した各実施形態に限定されるものではなく、例えば、以下に述べる各種の変形が可能である。また、各実施形態及び各変形例を適宜組み合わせてもよいことは勿論である。
【００３４】
（１）上述した各実施形態においては、第１下側電極１１８Ａ及び第２下側電極１１８Ｂ、並びに第１上側電極１１８Ｃ及び第２上側電極１１８Ｄを市松模様状に配置した例について説明したが、本発明はこのような構成に限定されるものではなく、例えば、第１下側電極１１８Ａ及び第２下側電極１１８Ｂ、並びに第１上側電極１１８Ｃ及び第２上側電極１１８Ｄをライン状に交互に配置してもよい。
【００３５】
（２）上述した各実施形態においては、第１フィールドから第４フィールドまでの書き込み極性を、正極性１、負極性１、正極性２、及び負極性２の順序としたが、本発明はこの構成に限定されるものではない。例えば、正極性１、負極性２、正極性２、及び負極性１にしてもよい。いずれの場合でも、極性バランスを確保することができる。また、負極性から開始してもよい。
【００３６】
＜応用例＞
この発明は、各種の電子機器に利用され得る。図２９ないし図３１は、この発明の適用対象となる電子機器の具体的な形態を例示するものである。
【００３７】
図２９は、電気光学装置を採用した可搬型のパーソナルコンピューターの斜視図である。パーソナルコンピューター２０００は、各種の画像を表示する電気光学装置１と、電源スイッチ２００１やキーボード２００２が設置された本体部２０１０とを具備する。
【００３８】
図３０は、携帯電話機の斜視図である。携帯電話機３０００は、複数の操作ボタン３００１およびスクロールボタン３００２と、各種の画像を表示する電気光学装置１とを備える。スクロールボタン３００２を操作することによって、電気光学装置１に表示される画面がスクロールされる。本発明はこのような携帯電話機にも適用可能である。
【００３９】
図３１は、電気光学装置を採用した投射型表示装置（３板式のプロジェクター）４０００の構成を示す模式図である。この投射型表示装置４０００は、相異なる表示色Ｒ、Ｇ、Ｂに各々対応する３個の電気光学装置１（１Ｒ，１Ｇ，１Ｂ）を含んでいる。照明光学系４００１は、照明装置（光源）４００２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。本発明はこのような液晶プロジェクターにも適用可能である。
【００４０】
なお、本発明が適用される電子機器としては、図１、図２９ないし図３１に例示した機器のほか、携帯情報端末（ＰＤＡ：Ｐｅｒｓｏｎａｌ  Ｄｉｇｉｔａｌ  Ａｓｓｉｓｔａｎｔｓ），デジタルスチルカメラ，テレビ，ビデオカメラ，カーナビゲーション装置，車載用の表示器（インパネ），電子手帳，電子ペーパー，電卓，ワードプロセッサー，ワークステーション，テレビ電話，ＰＯＳ端末，プリンター，スキャナー，複写機，ビデオプレーヤ，タッチパネルを備えた機器等などが挙げられる。
【符号の説明】
【００４１】
１…電気光学装置、１０…タイミング制御回路、２０…表示制御回路、１００…液晶パネル、１０１…表示領域、１１０Ｂ，１１０Ｕ…画素、１１２，１１２−１Ｂ，１１２−２Ｂ，１１２−１Ｕ，１１２−２Ｕ…走査線、１１４，１１４−１Ｂ，１１４−１Ｕ，１１４−２Ｂ，１１４−２Ｕ…信号線、１１５…容量線、１１７−１Ｂ，１１７−２Ｂ，１１７−１Ｕ，１１７−２Ｕ…保持配線、１１８Ａ…第１下側電極、１１８Ｂ…第２下側電極、１１８Ｃ…第１上側電極、１１８Ｄ…第２上側電極、１２５…補助容量、１３０…走査線駆動回路、１４０…データ線駆動回路。
【図１】
2017009827.tif 000003
【図２】
2017009827.tif 000004
【図３】
2017009827.tif 000005
【図４】
2017009827.tif 000006
【図５】
2017009827.tif 000007
【図６】
2017009827.tif 000008
【図７】
2017009827.tif 000009
【図８】
2017009827.tif 000010
【図９】
2017009827.tif 000011
【図１０】
2017009827.tif 000012
【図１１】
2017009827.tif 000013
【図１２】
2017009827.tif 000014
【図１３】
2017009827.tif 000015
【図１４】
2017009827.tif 000016
【図１５】
2017009827.tif 000017
【図１６】
2017009827.tif 000018
【図１７】
2017009827.tif 000019
【図１８】
2017009827.tif 000020
【図１９】
2017009827.tif 000021
【図２０】
2017009827.tif 000022
【図２１】
2017009827.tif 000023
【図２２】
2017009827.tif 000024
【図２３】
2017009827.tif 000025
【図２４】
2017009827.tif 000026
【図２５】
2017009827.tif 000027
【図２６】
2017009827.tif 000028
【図２７】
2017009827.tif 000029
【図２８】
2017009827.tif 000030
【図２９】
2017009827.tif 000031
【図３０】
2017009827.tif 000032
【図３１】
2017009827.tif 000033
【図３２】
2017009827.tif 000034